(57)【要約】【課題】  蛇口の下方に設ける浴室用カウンターにおいて、蛇口から流れ出る水や垂れる水が上面を濡らしたり、上面に当たって飛散し周囲を濡らすことを防止する。【解決手段】  蛇口１の吐水口１ａと対向する位置に、蛇口１から流れ出る水や垂れる水を通過させる水通し部６を、蛇口１の回動方向に合わせて略円弧形に開口する。この場合本発明は、上面５を後側に向かって下り勾配に形成し、水通し部６を前側に凸湾曲状に形成し、この水通し部６の手前側の上面５の位置に、水を水通し部６に沿わせて後側に導く水誘導部７を形成するのが良い。【選択図】      図１
2005066227.tif 000002
【特許請求の範囲】
【請求項１】
蛇口の下方に設けられる浴室用カウンターであって、上記の蛇口の吐水口と対向する位置に、蛇口から流れ出る水や垂れる水を通過させる水通し部が、蛇口の回動方向に合わせて略円弧形に開口されていることを特徴とする浴室用カウンター。
【請求項２】
請求項１記載の浴室用カウンターであって、上面が後側に向かって下り勾配に形成され、水通し部が前側に凸湾曲状に形成され、この水通し部の手前側の上面の位置に、水を水通し部に沿わせて後側に導く水誘導部が形成されていることを特徴とする浴室用カウンター。
【請求項３】
請求項２記載の浴室用カウンターであって、水誘導部が溝状部に形成されていることを特徴とする浴室用カウンター。
【請求項４】
請求項２又は３記載の浴室用カウンターであって、上面の後側に、上面から流れ込む水を側方に導いて側端から排水させる排水溝が左右方向に延びて形成され、この排水溝に水を誘導するため水誘導部が左右の端部を排水溝に至らせて形成されていることを特徴とする浴室用カウンター。
【請求項５】
請求項１記載の浴室用カウンターであって、水通し部が、浴槽側の上面の側部に、側方に凹湾曲状に、且つ側部端面から切欠状に形成されていることを特徴とする浴室用カウンター。
【発明の詳細な説明】
【技術分野】
【０００１】
本発明は浴室用カウンターに関し、更に詳しくは蛇口の下方に設け、入浴時に洗面器等を載置して使用する浴室用カウンターに関するものである。
【背景技術】
【０００２】
従来この種のカウンターとしては、浴室側壁へ向かって下方へ傾斜させ、浴室側壁近傍に排水孔や排水用の隙間を形成したり、側壁にそって排水溝を形成しているものがある（特許文献１、２参照）。
又この種の従来品としては、例えばカウンターに開口部を形成し、この開口部に着脱自在に装着するカバー板の上面に、排水孔を形成しているものがある（特許文献３参照）。又従来、例えばカウンターに湯桶を載置するための台を形成し、この台の略中央部に、湯桶の底部よりは小さい状態で水栓金具から吐出する水を通過させることができる穴部を形成しているものも知られている（特許文献４、図６参照）。
【０００３】
而して特許文献１、２記載の従来品の目的は、水が手前側（入浴者側）に流れたり、シャンプー容器等が手前側に落下することを防止することにある。そのためこの従来品は、上面を後側に向かって下り勾配に形成しているだけであったから、これによると蛇口から流れ落ちる水が上面に当たり、その際この水が上面で跳ねて周囲を濡らしたり、上面自体を濡らす、という問題点があった。
【０００４】
又特許文献３記載の従来品は、カバー板の排水孔でカバー板の水切れを良くすることはできるが、この場合も、蛇口から流れ出る水や垂れる水に対しては何等対策が施されていなかった。そのためこれによると、蛇口から流れ出る水や垂れる水が上面で跳ねて飛び散り、周囲を濡らしたり、上面自体を濡らすことを防止できなかった。
【０００５】
又特許文献４記載の従来品は、浴用椅子を使用しない場合でも、床面に湯桶を直接置いて蛇口から水を台越しに入れることを可能にするものである。そのためこの従来品は、台の略中央部に穴部を形成しているものであるから、これによると蛇口を回して吐水口の位置を変えると、蛇口から流れ出る水や垂れる水で上面が濡れるのを避けられなかった。換言すると、この従来品は、蛇口と関連付けられた穴部を有するものの、蛇口から流れ出る水や垂れる水が上面を濡らすことを防止するものではないため、蛇口を回動中、回動後、蛇口から流れ出る水や垂れる水が上面を濡らしたり、上面で水が跳ねて周囲を濡らすことを防止できない、という問題点があった。
【特許文献１】特開平８−８４６８０号公報
【特許文献２】特開平１１−３３２７７６号公報
【特許文献３】特開２００１−４６２６４号公報
【特許文献４】特開平５−２８５０５７号公報
【発明の開示】
【発明が解決しようとする課題】
【０００６】
本発明は、このような従来の問題点に鑑み、提案されたものである。
従って本発明の解決しようとする技術的課題は、蛇口の下方に設ける浴室用カウンターにおいて、蛇口から流れ出る水や垂れる水が上面を濡らしたり、上面に当たって飛散し周囲を濡らすことを防止できるよう形成した浴室用カウンターを提供することにある。
【課題を解決するための手段】
【０００７】
本発明は、上記の課題を解決するため、次のような技術的手段を採る。
即ち本発明は、図１等に示されるように、蛇口１の下方に設けられる浴室用カウンターであって、上記の蛇口１の吐水口１ａと対向する位置に、蛇口１から流れ出る水や垂れる水を通過させる水通し部６が、蛇口１の回動方向に合わせて略円弧形に開口されていることを特徴とする（請求項１）。
【０００８】
ここで、蛇口１の回動方向とは、蛇口１が枢着箇所４を中心に軸管を半径にして吐水口１ａが円形に回り動く方向を意味する。又ここで、略円弧形とは、完全な円弧形には限られず、内縁と外縁の曲率が多少異なる場合も含まれる、ということを意味する。
【０００９】
この場合本発明は、上面５が後側に向かって下り勾配に形成され、水通し部６が前側に凸湾曲状に形成され、この水通し部６の手前側の上面５の位置に、水を水通し部６に沿わせて後側に導く水誘導部７が形成されているのが好ましい（請求項２）。
【００１０】
なぜならこれによると、水誘導部７によって手前側の上面５から流れる水を、水通し部６に落下させることなく、後側に導いて排水できるからである。
【００１１】
又この場合本発明は、図４に示されるように、水誘導部７が溝状部７ａに形成されているのが好ましい（請求項３）。
【００１２】
なぜならこれによると、上面５に段差ができないため、上面５に載置するシャンプー容器等を安定した姿勢で載置できるからである。この本発明の場合は、水を滞留させず、且つ水の流れが途中で途切れることのない程度の流速で徐々に流れるよう、溝の底を、後側になるに従って次第に深くなるよう形成しても良い。なお水誘導部７の他の構成としては、例えば水通し部６の手前側の上面５を盛り上げ、水通し部６に沿わせて畦状に形成する場合がある。
【００１３】
又本発明は、上面５の後側に、上面５から流れ込む水を側方に導いて側端９から排水させる排水溝８が左右方向に延びて形成され、この排水溝８に水を誘導するため水誘導部７が左右の端部７ａ１を排水溝８に至らせて形成されているのでも良い（請求項４）。
【００１４】
なぜならこれによると、水誘導部７で後側に導いた水を排水溝８に流し込んで、排水溝８を介して側端９から排水することができるからである。ここで、側端９から排水させるとは、排水溝８の一方の端部でも、両方の端部でも良い、ということを意味する。両端から排水させる場合は、例えば排水溝８の左右方向の中央部が高く形成され、この中央部から側端９になるにつれて下り勾配に形成される。
【００１５】
又本発明は、図５、図６に示されるように、水通し部６が、浴槽１０側の上面５の側部５ｂに、側方に凹湾曲状に、且つ側部端面１１から切欠状に形成されているのが好ましい（請求項５）。
【００１６】
なぜならこれによると、浴槽１０のフランジ部１０ａの角部に蛇口１が設けられている場合でも、浴槽１０に隣り合わせて本発明品の設置が可能になるからである。又この場合は、水通し部６が、側部端面１１から切欠状に形成されているため、蛇口１を浴槽１０側、洗い場２側の何れに回したときでも、蛇口１から流れ出る水や垂れる水が側部端面１１の縁を濡らすことがないからである。
【発明の効果】
【００１７】
本発明は、上記の通り、蛇口の吐水口と対向する位置に、蛇口から流れ出る水や垂れる水を通過させる水通し部を、蛇口の回動方向に合わせて略円弧形に開口形成しているものである。
従って本発明のカウンターを使用すれば、蛇口から流れ出る水や垂れる水が上面を濡らすことや、上面に当たって飛散し周囲を濡らすことを防止できる。
【発明を実施するための最良の形態】
【００１８】
以下、本発明を実施するための最良の形態を説明する。
図１等において、１は、湯水混合水栓等の蛇口である。この蛇口１は、洗い場２の側の例えば側壁３に、蛇口１の枢着箇所４を中心に軸管が回動可能に設けられている。この実施形態の本発明品は、蛇口１の下方の側壁３に取り付けられ、上面５が後側に向かって下り勾配（傾斜角度は３°）に形成されている。
【００１９】
６は、蛇口１から流れ出る水や垂れる水を通過させる水通し部である。この水通し部６は、蛇口１の吐水口１ａと対向する位置に、蛇口１の回動方向に合わせて円弧形に開口されている。又この水通し部６は、この実施形態では前側に凸湾曲状に形成されている。
【００２０】
７は、水通し部６に沿わせて水を後側に導く水誘導部である。この水誘導部７は、水通し部６の手前側の上面５の位置に、凹溝状に形成されている溝状部７ａと、水誘導部７から水が溢れて水通し部６に流れ込まないよう、上面５が僅かに盛り上げられると共に、水通し部６の形成範囲にわたって畦状に形成されている水止め部７ｂとで形成されている。又８は、上面５から流れ込む水を側方に導いて側端９から排水させる排水溝である。この排水溝８は、上面５の後側に、左右方向に延びて形成されている。又この排水溝８に水を誘導するため、水誘導部７としての溝状部７ａは、左右の端部７ａ１を排水溝８に至らせて形成されている。
【００２１】
次に本発明の作用を説明する。
蛇口１の吐水口１ａから流れ出る水や垂れる水は、図１、図３に示されるように、水通し部６を通過して洗い場２に落下し、排水される。又この実施形態の本発明品は、水通し部６が蛇口１の回動方向に合わせて円弧形に形成されているから、蛇口１を回して吐水口１ａを壁面に近づけたとき、回動中、回動後とも、吐水口１ａから流れ出る水や垂れる水は、水通し部６を介して洗い場２に落下し、排水される。又上面５の水は、溝状部７ａに流れ込み、この溝状部７ａに導かれて後側に流れ、排水溝８に流れ込む。そしてこの実施形態の場合は、排水溝８を左右に流れ、各側端９から洗い場２に落下し、排水される。又水通し部６の後側の上面位置５ａの水は、そのまま後側に流れて排水溝８に流れ込み、排水溝８を左右に流れて各側端９から排水される。洗面器１２は、吐水口１ａの下方の上面5の位置に配置される。
【００２２】
以上の処において、本発明は、図４に示されるように、水誘導部７が溝状部７ａだけで形成されているのでも良い。この場合は、上面５が面一状に形成されるため、シャンプー容器等の載置姿勢を安定化できる。
【００２３】
又本発明は、図５、図６に示されるように、水通し部６が、浴槽１０側の上面５の側部５ｂに、側方に凹湾曲状に、且つ側部端面１１から切欠状に形成されているのでも良い。この実施形態の本発明の場合、蛇口１は、浴槽１０のフランジ部１０ａの角部に、浴槽１０と洗い場２の両側に水を供給可能に、略１８０度の範囲にわたって回動可能に設けられている。この本発明品の場合は、洗面器１２を上面５の側部５ｂに配置して使用する。蛇口１から流れ出る水や垂れる水は、水通し部６を通過して洗い場２に落下する。この本発明品では、側部端面１１が切り欠かれているから、蛇口１を浴槽１０側、洗い場２側の何れに回動させたときも、カウンターの縁を濡らすことがない。
【図面の簡単な説明】
【００２４】
【図１】本発明のカウンターの好適な一実施形態を示す斜視図である。
【図２】本発明のカウンターの平面図である。
【図３】図２のIII−III線における断面図である。
【図４】本発明のカウンターの他の実施形態を示す断面図である。
【図５】本発明のカウンターの他の実施形態を示す要部平面図である。
【図６】図５の本発明のカウンターの要部正面図ある。
【符号の説明】
【００２５】
１    蛇口
１ａ  吐水口
５    上面
６    水通し部
【図１】
2005066227.tif 000003
【図２】
2005066227.tif 000004
【図３】
2005066227.tif 000005
【図４】
2005066227.tif 000006
【図５】
2005066227.tif 000007
【図６】
2005066227.tif 000008